(57)【特許請求の範囲】
【請求項１】
演算部と、記憶部と、入力部と、出力部とを有する計算機において、引合いの製造可否を検討するための過去の製造実績を検索する引合い検討支援システムであって、
製品、材料及び製造に関する条件と、その条件で製造した場合に品質試験で得られた品質試験値とを項目とした、過去の製造実績に関する製造実績情報を、製造実績データベースとして記憶部に登録する製造実績データベース登録部と、
入力部により、前記製造実績情報の項目の一部又は全部に対して要求される値が入力された引合い仕様を記憶部に登録する引合い仕様入力部と、
前記製造実績データベースに基づいて、前記引合い仕様を満足する製造実績を検索製造実績として抽出する製造実績抽出部と、
抽出された前記検索製造実績が設定した最小製造実績数以下である場合、または、抽出された前記検索製造実績に対して緩和を要求する信号が入力部から入力された場合に、前記引合い仕様として要求される項目のいずれかを緩和して、前記製造実績データベースから満足する製造実績を類似製造実績として抽出する緩和検索部と、
抽出された前記類似製造実績が設定した最大製造実績数以上である場合、または、抽出された前記類似製造実績に対して絞り込みを要求する信号が入力部から入力された場合に、前記引合い仕様として要求される項目のいずれかを絞り込んで、前記製造実績データベースから満足する製造実績を検索製造実績として抽出する絞り込み検索部と、
抽出された前記検索製造実績又は抽出された前記類似製造実績を出力部に出力する検索結果表示部と、を備え、
前記製造実績データベースは、製品に関する条件として、規格名を有し、
前記緩和検索部は、前記引合い仕様で要求される規格を類似規格まで範囲を広げる緩和を行うものであって、
前記類似規格は、前記引合い仕様で要求される規格以外の規格であって、前記引合い仕様で要求される規格に該当する製造実績の集合と、前記引合い仕様で要求される規格以外の規格に該当する製造実績の集合とを比較して、共通する項目により算出される類似度が予め設定した閾値よりも大きい規格であることを特徴とする引合い検討支援システム。
【請求項２】
前記引合いは、鋼板に関する引合いであって、
前記製造実績データベースは、材料に関する条件として、鋼種を有し、
前記緩和検索部は、前記引合い仕様で要求される鋼種を、類似鋼種まで範囲を広げる緩和を行うものであって、
前記類似鋼種は、前記引合い仕様で要求される鋼種以外の鋼種であって、前記引合い仕様で要求される鋼種に該当する製造実績の集合おける含有成分の頻度と、前記引合い仕様で要求される鋼種以外の鋼種に該当する製造実績の集合おける含有成分の頻度とを比較した類似度が、予め設定した閾値よりも大きい鋼種であることを特徴とする請求項１に記載の引合い検討支援システム。
【請求項３】
演算部と、記憶部と、入力部と、出力部とを有する計算機において、引合いの製造可否を検討するための過去の製造実績を検索する引合い検討支援システムであって、
製品、材料及び製造に関する条件と、その条件で製造した場合に品質試験で得られた品質試験値とを項目とした、過去の製造実績に関する製造実績情報を、製造実績データベースとして記憶部に登録する製造実績データベース登録部と、
入力部により、前記製造実績情報の項目の一部又は全部に対して要求される値が入力された引合い仕様を記憶部に登録する引合い仕様入力部と、
前記製造実績データベースに基づいて、前記引合い仕様を満足する製造実績を検索製造実績として抽出する製造実績抽出部と、
抽出された前記検索製造実績が設定した最小製造実績数以下である場合、または、抽出された前記検索製造実績に対して緩和を要求する信号が入力部から入力された場合に、前記引合い仕様として要求される項目のいずれかを緩和して、前記製造実績データベースから満足する製造実績を類似製造実績として抽出する緩和検索部と、
抽出された前記類似製造実績が設定した最大製造実績数以上である場合、または、抽出された前記類似製造実績に対して絞り込みを要求する信号が入力部から入力された場合に、前記引合い仕様として要求される項目のいずれかを絞り込んで、前記製造実績データベースから満足する製造実績を検索製造実績として抽出する絞り込み検索部と、
抽出された前記検索製造実績又は抽出された前記類似製造実績を出力部に出力する検索結果表示部と、を備え、
前記引合いは、鋼板に関する引合いであって、
前記製造実績データベースは、材料に関する条件として、鋼種を有し、
前記緩和検索部は、前記引合い仕様で要求される鋼種を、類似鋼種まで範囲を広げる緩和を行うものであって、
前記類似鋼種は、前記引合い仕様で要求される鋼種以外の鋼種であって、前記引合い仕様で要求される鋼種に該当する製造実績の集合おける含有成分の頻度と、前記引合い仕様で要求される鋼種以外の鋼種に該当する製造実績の集合おける含有成分の頻度とを比較した類似度が、予め設定した閾値よりも大きい鋼種であることを特徴とする引合い検討支援システム。
【請求項４】
前記検索結果表示部は、
抽出された前記検索製造実績又は抽出された前記類似製造実績に関して、製品、材料及び製造に関する条件とその条件で製造した場合に得られた品質試験値の中から入力部により選択された２つの項目について、縦軸と横軸とにとった散布図を出力部に表示する散布図表示部と、
抽出された前記検索製造実績又は抽出された前記類似製造実績に関して、製品、材料及び製造に関する条件とその条件で製造した場合に得られた品質試験値について、一覧にしたリストを出力部に表示するリスト表示部と、
前記散布図又は前記リストのいずれか一方に対して、入力部により１つ又は複数の前記検索製造実績又は前記類似製造実績が選択されると、前記散布図又は前記リストのいずれか他方に対して、選択された１つ又は複数の前記検索製造実績又は前記類似製造実績を連動して表示させる連動表示部と、を備えることを特徴とする請求項１〜３のいずれか一項に記載の引合い検討支援システム。
【請求項５】
演算部と、記憶部と、入力部と、出力部とを有する計算機において、引合いの製造可否を検討するための過去の製造実績を検索する引合い検討支援システムであって、
製品、材料及び製造に関する条件と、その条件で製造した場合に品質試験で得られた品質試験値とを項目とした、過去の製造実績に関する製造実績情報を、製造実績データベースとして記憶部に登録する製造実績データベース登録部と、
入力部により、前記製造実績情報の項目の一部又は全部に対して要求される値が入力された引合い仕様を記憶部に登録する引合い仕様入力部と、
前記製造実績データベースに基づいて、前記引合い仕様を満足する製造実績を検索製造実績として抽出する製造実績抽出部と、
抽出された前記検索製造実績が設定した最小製造実績数以下である場合、または、抽出された前記検索製造実績に対して緩和を要求する信号が入力部から入力された場合に、前記引合い仕様として要求される項目のいずれかを緩和して、前記製造実績データベースから満足する製造実績を類似製造実績として抽出する緩和検索部と、
抽出された前記類似製造実績が設定した最大製造実績数以上である場合、または、抽出された前記類似製造実績に対して絞り込みを要求する信号が入力部から入力された場合に、前記引合い仕様として要求される項目のいずれかを絞り込んで、前記製造実績データベースから満足する製造実績を検索製造実績として抽出する絞り込み検索部と、
抽出された前記検索製造実績又は抽出された前記類似製造実績を出力部に出力する検索結果表示部と、を備え、
前記検索結果表示部は、
抽出された前記検索製造実績又は抽出された前記類似製造実績に関して、製品、材料及び製造に関する条件とその条件で製造した場合に得られた品質試験値の中から入力部により選択された２つの項目について、縦軸と横軸とにとった散布図を出力部に表示する散布図表示部と、
抽出された前記検索製造実績又は抽出された前記類似製造実績に関して、製品、材料及び製造に関する条件とその条件で製造した場合に得られた品質試験値について、一覧にしたリストを出力部に表示するリスト表示部と、
前記散布図又は前記リストのいずれか一方に対して、入力部により１つ又は複数の前記検索製造実績又は前記類似製造実績が選択されると、前記散布図又は前記リストのいずれか他方に対して、選択された１つ又は複数の前記検索製造実績又は前記類似製造実績を連動して表示させる連動表示部と、を備えることを特徴とする引合い検討支援システム。
【請求項６】
前記緩和検索部は、前記散布図又は前記リストのいずれか一方において表示された前記引合い仕様として要求される項目について入力部により範囲を広げる、または、前記引合い仕様として要求される項目以外の項目について増加する指定を行うことにより緩和させることを特徴とする請求項４または５に記載の引合い検討支援システム。
【請求項７】
前記絞込み検索部は、
前記散布図又は前記リストのいずれか一方において表示された前記引合い仕様として要求される項目について入力部により範囲を狭める、或いは、前記引合い仕様として要求される項目以外の項目について限定する指定を行うことにより絞り込む、または、
前記散布図又は前記リストのいずれか一方において表示された１つ又は複数の前記類似製造実績を選択し、選択された前記類似製造実績と共通する項目を有する類似製造実績を、前記散布図或いは前記リストのいずれか一方又は前記散布図或いは前記リストの両方に協調表示することにより絞り込むことを特徴とする請求項４〜６のいずれか一項に記載の引合い検討支援システム。
【発明の詳細な説明】
【技術分野】
【０００１】
本発明は、受注に先立って顧客から要求される引合いに関して、要求される引合い仕様を検討して、引合いの製造可否を検討するための過去の製造実績を検索する引合い検討支援システムに関する。
【背景技術】
【０００２】
従来から、受注に先立って顧客から引合いが要求された場合に、要求される引合い仕様に対して、過去の製造実績を踏まえて、製造可否を検討することが行われている。例えば、特許文献１に示す技術では、顧客から要求される引合い仕様に対して、過去の事例（即ち、製造実績）と引合い仕様との乖離度を算出し、達成可能な仕様かどうかを判定している。また、特許文献２に示す技術では、製造プロセスの操業中または操業後に、製造条件に対する材質性能値を、過去のデータから計算して予測している。
【０００３】
特許文献１または２に記載された技術は、規格などの製品条件、成分などの材料条件、製造方法などの製造条件と、これらの条件で製造を行った場合の品質試験値とからなる製造実績情報が格納されたデータベースを参照して、顧客から要求された仕様（製品条件、材料条件、製造条件や品質試験値）に対して、実現可能な品質試験値の予測を行ったり、予測される品質試験値が要求範囲に入るように、製品条件、材料条件や製造条件のパラメータを変更したりするものである。
【０００４】
これらの技術において、品質予測に当たっては、製品、材料及び製造に関する条件のパラメータを説明変数とした回帰式等と用いた数理的計算手法により、過去と一致はしなくても、類似又は近傍の製品、材料及び製造に関する条件のパラメータに対して、品質試験値を予測する。品質予測に当たっては、製品、材料及び製造に関する条件、品質試験値の関係が、回帰式などの数理モデルに当てはまるように、事例をグループ化して行う。事例のグループ化においては、特許文献１では同じ製造条件で製造された事例を抽出してグループ化し、特許文献２では複数の局所領域に分割して事例をグループ化している。
【先行技術文献】
【特許文献】
【０００５】
【特許文献１】特開２０１０−１９１７９０号公報
【特許文献１】特開２０１３−８０４５８号公報
【発明の概要】
【発明が解決しようとする課題】
【０００６】
しかしながら、このような従来の技術では、過去の製造実績から大きく乖離した引合いが要求された場合には、引合い仕様と一致するまたは近傍の過去の製造実績を検索したとしても、該当する過去の製造実績が少なくあるいは無く、製造可否を判定することが困難になる。そして、このような引合いに対しては、要求される製品、材料及び製造に関する条件を緩和して、より広範囲に過去の製造実績の抽出を行うことが考えられるが、検索において、どの条件をどの程度緩和するのかが、引合いの製造可否を検討する者（以下、「検討者」と称する。）の経験によって異なり、適切な過去の製造実績が検索できず、的確な製造可否の判断を行うことが難しいという問題が生じる。
【０００７】
そこで、本発明が解決しようとする課題は、受注に先立って顧客から要求される引合いに関して、要求される引合い仕様を検討して、引合いの製造可否を検討する際に、過去の製造実績から大きく乖離した引合いであったとしても、より広範囲に過去の製造実績を検索する支援を行う引合い検討支援システムを提供するものである。
【課題を解決するための手段】
【０００８】
本発明に係る引合い検討支援システムは、演算部と、記憶部と、入力部と、出力部とを有する計算機において、引合いの製造可否を検討するための過去の製造実績を検索する引合い検討支援システムであって、製品、材料及び製造に関する条件と、その条件で製造した場合に品質試験で得られた品質試験値とを項目とした、過去の製造実績に関する製造実績情報を、製造実績データベースとして記憶部に登録する製造実績データベース登録部と、入力部により、前記製造実績情報の項目の一部又は全部に対して要求される値が入力された引合い仕様を記憶部に登録する引合い仕様入力部と、前記製造実績データベースに基づいて、前記引合い仕様を満足する製造実績を検索製造実績として抽出する製造実績抽出部と、抽出された前記検索製造実績が設定した最小製造実績数以下である場合、または、抽出された前記検索製造実績に対して緩和を要求する信号が入力部から入力された場合に、前記引合い仕様として要求される項目のいずれかを緩和して、前記製造実績データベースから満足する製造実績を類似製造実績として抽出する緩和検索部と、抽出された前記類似製造実績が設定した最大製造実績数以上である場合、または、抽出された前記類似製造実績に対して絞り込みを要求する信号が入力部から入力された場合に、前記引合い仕様として要求される項目のいずれかを絞り込んで、前記製造実績データベースから満足する製造実績を検索製造実績として抽出する絞り込み検索部と、抽出された前記検索製造実績又は抽出された前記類似製造実績を出力部に出力する検索結果表示部と、を備え、前記製造実績データベースは、製品に関する条件として、規格名を有し、前記緩和検索部は、前記引合い仕様で要求される規格を類似規格まで範囲を広げる緩和を行うものであって、前記類似規格は、前記引合い仕様で要求される規格以外の規格であって、前記引合い仕様で要求される規格に該当する製造実績の集合と、前記引合い仕様で要求される規格以外の規格に該当する製造実績の集合とを比較して、共通する項目により算出される類似度が予め設定した閾値よりも大きい規格であることを特徴とする。
これによると、引合いの製造可否を検討する際に、過去の製造実績から大きく乖離した引合いであったとしても、設定した数を基準に、または、検索者からの要求に応じて、引合い仕様として要求される項目のいずれかを緩和したり、絞り込んだりすることにより、製造実績データベースから、参考とする過去の製造実績をより広範囲に検索することができる。また、製造実績データベースから、引合い仕様として要求される規格以外の規格について検索する製造実績をより広範囲に検索しつつ、規格をまたいで転用できる製造実績を、類似度に基づいて、より的確に検索することができる。
【０００９】
ここで、前記引合いは、鋼板に関する引合いであって、前記製造実績データベースは、材料に関する条件として、鋼種を有し、前記緩和検索部は、前記引合い仕様で要求される鋼種を、類似鋼種まで範囲を広げる緩和を行うものであって、前記類似鋼種は、前記引合い仕様で要求される鋼種以外の鋼種であって、前記引合い仕様で要求される鋼種に該当する製造実績の集合おける含有成分の頻度と、前記引合い仕様で要求される鋼種以外の鋼種に該当する製造実績の集合おける含有成分の頻度とを比較した類似度が、予め設定した閾値よりも大きい鋼種であって良い。
これにより、製造実績データベースから、引合い仕様として要求される鋼種以外の規格について検索する製造実績をより広範囲に検索しつつ、鋼種をまたいで転用できる製造実績を、含有成分に基づいて、より的確に検索することができる。
【００１０】
本発明に係る検討支援システムは、演算部と、記憶部と、入力部と、出力部とを有する計算機において、引合いの製造可否を検討するための過去の製造実績を検索する引合い検討支援システムであって、製品、材料及び製造に関する条件と、その条件で製造した場合に品質試験で得られた品質試験値とを項目とした、過去の製造実績に関する製造実績情報を、製造実績データベースとして記憶部に登録する製造実績データベース登録部と、入力部により、前記製造実績情報の項目の一部又は全部に対して要求される値が入力された引合い仕様を記憶部に登録する引合い仕様入力部と、前記製造実績データベースに基づいて、前記引合い仕様を満足する製造実績を検索製造実績として抽出する製造実績抽出部と、抽出された前記検索製造実績が設定した最小製造実績数以下である場合、または、抽出された前記検索製造実績に対して緩和を要求する信号が入力部から入力された場合に、前記引合い仕様として要求される項目のいずれかを緩和して、前記製造実績データベースから満足する製造実績を類似製造実績として抽出する緩和検索部と、抽出された前記類似製造実績が設定した最大製造実績数以上である場合、または、抽出された前記類似製造実績に対して絞り込みを要求する信号が入力部から入力された場合に、前記引合い仕様として要求される項目のいずれかを絞り込んで、前記製造実績データベースから満足する製造実績を検索製造実績として抽出する絞り込み検索部と、抽出された前記検索製造実績又は抽出された前記類似製造実績を出力部に出力する検索結果表示部と、を備え、前記引合いは、鋼板に関する引合いであって、前記製造実績データベースは、材料に関する条件として、鋼種を有し、前記緩和検索部は、前記引合い仕様で要求される鋼種を、類似鋼種まで範囲を広げる緩和を行うものであって、前記類似鋼種は、前記引合い仕様で要求される鋼種以外の鋼種であって、前記引合い仕様で要求される鋼種に該当する製造実績の集合おける含有成分の頻度と、前記引合い仕様で要求される鋼種以外の鋼種に該当する製造実績の集合おける含有成分の頻度とを比較した類似度が、予め設定した閾値よりも大きい鋼種であることを特徴とする。
【００１１】
これによると、引合いの製造可否を検討する際に、過去の製造実績から大きく乖離した引合いであったとしても、設定した数を基準に、または、検索者からの要求に応じて、引合い仕様として要求される項目のいずれかを緩和したり、絞り込んだりすることにより、製造実績データベースから、参考とする過去の製造実績をより広範囲に検索することができる。また、製造実績データベースから、引合い仕様として要求される鋼種以外の規格について検索する製造実績をより広範囲に検索しつつ、鋼種をまたいで転用できる製造実績を、含有成分に基づいて、より的確に検索することができる。
【００１６】
また、前記検索結果表示部は、抽出された前記検索製造実績又は抽出された前記類似製造実績に関して、製品、材料及び製造に関する条件とその条件で製造した場合に得られた品質試験値の中から入力部により選択された２つの項目について、縦軸と横軸とにとった散布図を出力部に表示する散布図表示部と、抽出された前記検索製造実績又は抽出された前記類似製造実績に関して、製品、材料及び製造に関する条件とその条件で製造した場合に得られた品質試験値について、一覧にしたリストを出力部に表示するリスト表示部と、前記散布図又は前記リストのいずれか一方に対して、入力部により１つ又は複数の前記検索製造実績又は前記類似製造実績が選択されると、前記散布図又は前記リストのいずれか他方に対して、選択された１つ又は複数の前記検索製造実績又は前記類似製造実績を連動して表示させる連動表示部と、を備えて良い。
これにより、出力部に表示された散布図及びリスト図の中から注目する製造実績の範囲または製造実績の一つを選択した際に、散布図及びリスト図をそれぞれ連動して表示させることにより、検討者に対してより的確な製造可否の判断を行うための支援を視覚的に行うことができる。
【００１７】
本発明に係る引合い検討支援システムは、演算部と、記憶部と、入力部と、出力部とを有する計算機において、引合いの製造可否を検討するための過去の製造実績を検索する引合い検討支援システムであって、製品、材料及び製造に関する条件と、その条件で製造した場合に品質試験で得られた品質試験値とを項目とした、過去の製造実績に関する製造実績情報を、製造実績データベースとして記憶部に登録する製造実績データベース登録部と、入力部により、前記製造実績情報の項目の一部又は全部に対して要求される値が入力された引合い仕様を記憶部に登録する引合い仕様入力部と、前記製造実績データベースに基づいて、前記引合い仕様を満足する製造実績を検索製造実績として抽出する製造実績抽出部と、抽出された前記検索製造実績が設定した最小製造実績数以下である場合、または、抽出された前記検索製造実績に対して緩和を要求する信号が入力部から入力された場合に、前記引合い仕様として要求される項目のいずれかを緩和して、前記製造実績データベースから満足する製造実績を類似製造実績として抽出する緩和検索部と、抽出された前記類似製造実績が設定した最大製造実績数以上である場合、または、抽出された前記類似製造実績に対して絞り込みを要求する信号が入力部から入力された場合に、前記引合い仕様として要求される項目のいずれかを絞り込んで、前記製造実績データベースから満足する製造実績を検索製造実績として抽出する絞り込み検索部と、抽出された前記検索製造実績又は抽出された前記類似製造実績を出力部に出力する検索結果表示部と、を備え、前記検索結果表示部は、抽出された前記検索製造実績又は抽出された前記類似製造実績に関して、製品、材料及び製造に関する条件とその条件で製造した場合に得られた品質試験値の中から入力部により選択された２つの項目について、縦軸と横軸とにとった散布図を出力部に表示する散布図表示部と、抽出された前記検索製造実績又は抽出された前記類似製造実績に関して、製品、材料及び製造に関する条件とその条件で製造した場合に得られた品質試験値について、一覧にしたリストを出力部に表示するリスト表示部と、前記散布図又は前記リストのいずれか一方に対して、入力部により１つ又は複数の前記検索製造実績又は前記類似製造実績が選択されると、前記散布図又は前記リストのいずれか他方に対して、選択された１つ又は複数の前記検索製造実績又は前記類似製造実績を連動して表示させる連動表示部と、を備えることを特徴とする。
これによると、引合いの製造可否を検討する際に、過去の製造実績から大きく乖離した引合いであったとしても、設定した数を基準に、または、検索者からの要求に応じて、引合い仕様として要求される項目のいずれかを緩和したり、絞り込んだりすることにより、製造実績データベースから、参考とする過去の製造実績をより広範囲に検索することができる。また、出力部に表示された散布図及びリスト図の中から注目する製造実績の範囲または製造実績の一つを選択した際に、散布図及びリスト図をそれぞれ連動して表示させることにより、検討者に対してより的確な製造可否の判断を行うための支援を視覚的に行うことができる。
【００１８】
ここで、前記緩和検索部は、前記散布図又は前記リストのいずれか一方において表示された前記引合い仕様として要求される項目について入力部により範囲を広げる、または、前記引合い仕様として要求される項目以外の項目について増加する指定を行うことにより緩和させて良い。
【００１９】
これにより、出力部に表示された散布図及びリスト図に基づいて、検索製造実績の範囲を広げて緩和させたり、または、散布図及びリスト図で現れていない項目を増加する指定して緩和させたりすることにより、検討者に対して更に的確な製造可否の判断を行うための支援を視覚的に行うことができる。
【００２０】
ここで、前記絞り込み検索部は、前記散布図又は前記リストのいずれか一方において表示された前記引合い仕様として要求される項目について入力部により範囲を狭める、或いは、前記引合い仕様として要求される項目以外の項目について限定する指定を行うことにより絞り込む、または、前記散布図又は前記リストのいずれか一方において表示された１つ又は複数の前記類似製造実績を選択し、選択された前記類似製造実績と共通する項目を有する類似製造実績を、前記散布図或いは前記リストのいずれか一方又は前記散布図或いは前記リストの両方に協調表示することにより絞り込んで良い。
【００２１】
これにより、出力部に表示された散布図及びリスト図の中から、注目する類似製造実績の範囲を狭め、或いは、散布図及びリスト図で現れていない項目を限定して絞り込んだり、散布図及びリスト図上で選択された類似製造実績に共通する類似製造実績を連動して表示させて絞り込んだりすることにより、検討者に対して更に的確な製造可否の判断を行うための支援を視覚的に行うことができる。
【００２２】
尚、本発明に係る引合い検討支援プログラムは、リムーバブル型記録媒体やハードディスクなどの固定型記録媒体に記録して配布可能である他、有線又は無線の電気通信手段によってインターネットなどの通信ネットワークを介して配布可能である。
【発明の効果】
【００２３】
本発明の引合い検討支援システムは、受注に先立って顧客から要求される引合いに関して、要求される引合い仕様を検討して、引合いの製造可否を検討する際に、過去の製造実績から大きく乖離した引合いであったとしても、より広範囲に過去の製造実績を検索する支援を行うことができる。  
【図面の簡単な説明】
【００２４】
【図１】本実施形態に係る引合い検討支援システムのブロック図である。
【図２】本実施形態に係る引合い検討支援方法の処理の手順について説明したフローチャートである。
【図３】類似規格のクラスタリングの処理の手順について説明したフローチャートである。
【図４Ａ】鋼種の類似度を算出する処理の手順について説明した図である。
【図４Ｂ】鋼種の類似度を算出する処理の手順について説明した図である。
【図５】本実施形態に係る引合い検討支援システムで出力装置に表示される画面の遷移を示す図である。
【図６】引合い仕様として要求される規格を緩和する際の入力画面のイメージを示す図である。
【図７】引合い仕様として要求される規格を緩和する際の出力画面のイメージを示す図である。
【図８】本実施例で絞り込み検索により検索製造実績を抽出する際の出力装置に表示される画面の遷移を示す図である。
【発明を実施するための形態】
【００２５】
以下、図面を参照しつつ、本発明に係る引合い検討支援システム及び引合い検討支援方法、並びに引合い検討支援プログラムを実施するための形態について、具体的な一例に即して説明する。
【００２６】
まず、本実施形態に係る引合い検討支援システムについて、図１に基づいて説明する。図１は、本実施形態に係る引合い検討支援システムのブロック図である。引合い検討支援システム１は、演算部と、記憶部と、入力部と、出力部と、から構成されて、計算機上に実装される。ここで、図１に示される引合い検討支援システム１の各部（演算部、記憶部、入力部、及び、出力部）は、例えば汎用のパーソナルコンピュータ等の計算機によって構成される。かかる計算機には、ＣＰＵ、ＲＯＭ、ＲＡＭ、ハードディスク、ＣＤ−ＲＯＭの駆動装置などのハードウェアが収納されており、ハードディスクには、プログラム（このプログラムは、リムーバブルな記憶媒体に記録することにより、様々なコンピュータにインストールすることが可能である）を含む各種のソフトウェアが記録される。そして、これらのハードウェアおよびソフトウェアが組み合わされることによって、上述の各部が構築される。
【００２７】
図１に示すように、引合い検討システム１は、製造実績データベース１１と、引合い仕様記憶部１２と、検索製造実績記憶部１３と、類似製造実績記憶部１４と、製造実績データベース登録部２１と、引合い仕様入力部２２と、製造実績抽出部２３と、緩和検索部２４と、絞り込み検索部２５と、結果表示部２６と、から構成される。
【００２８】
製造実績データベース登録部２１は、製品、材料及び製造に関する条件と、その条件で製造した場合に品質試験で得られた品質試験値とを項目とした、過去の製造実績に関する製造実績情報を、製造実績データベース１１として、外部から記憶部に登録するためのものである。ここで、製品に関する条件は、例えば、鋼板に関する引合いである場合は、用途や材質性能などを定めた規格や、板厚等が該当する。また、材料に関する条件は、例えば、鋼板に関する引合いである場合は、強度や低温での靱性の指標となるシャルピー試験などの材料に関する品質試験の条件（試験温度条件やサンプル材条件）等が該当する。また、製造に関する条件は、例えば、鋼板に関する引合いである場合は、成分条件（鋼種）、熱処理条件、圧延条件等が該当する。また、品質試験値とは、これらの条件で製造を行った場合に、所定の品質試験の条件下で行った品質試験の品質試験値である。そして、これらの条件及び品質試験値を項目とした、過去の製造実績の実績値に関する製造実績情報が、製造実績データベース１１として登録される。尚、製造実績データベース登録部２１において、外部から登録される過去の製造実績についての製造実績情報は、予め、図示しない入力部（キーボード等）から入力したり、リムーバブルな記憶媒体に記録されて与えたり、有線又は無線の電気通信手段によってインターネットなどの通信ネットワークを介して与えたりして、記憶装置や補助記憶装置等に記憶する。
【００２９】
引合い仕様入力部２２は、入力部により、製造実績情報の項目の一部又は全部に対して要求される値が入力された引合い仕様を、引合い仕様１２として、外部から記憶部に登録するためのものである。ここで、製造実績情報の項目とは、製品に関する条件、材料に関する条件、製造に関する条件、所定の品質試験の品質試験値（具体的には、品質試験値の上限値、下限値、または、範囲）である。尚、引合い仕様入力部２２において、外部から入力される引合い仕様は、予め、図示しない入力部（キーボード等）から入力したり、リムーバブルな記憶媒体に記録されて与えたり、有線又は無線の電気通信手段によってインターネットなどの通信ネットワークを介して与えたりして、記憶装置や補助記憶装置等に記憶する。
【００３０】
製造実績抽出部２３は、製造実績データベース１１に基づいて、引合い仕様１２を満足する製造実績を検索製造実績１３として抽出して記憶部に登録するためのものである。即ち、製造実績抽出部２３では、引合い仕様１２で要求される製造実績情報の項目の一部又は全部に対する値を満足する過去の製造実績を抽出する。
【００３１】
製造実績抽出部２３で抽出して登録した検索製造実績１３は、検索結果出力部２６により、ディスプレイ、プリンタ等の出力装置に出力される。検索結果出力部２６は、散布図表示部２６１と、リスト表示部２６２と、連動表示部２６３とを備えることが好ましい。
【００３２】
散布図表示部２６１は、抽出された検索製造実績１３に関して、製品、材料及び製造に関する条件とその条件で製造した場合に得られた品質試験値の中から入力部により選択された２つの項目について、縦軸と横軸とにとった散布図を出力装置に表示するためのものである。ここで、選択される２つの項目は、製造実績情報に含まれる項目の全てが候補となる。そして、縦軸と横軸として選択された項目に従って、抽出された検索製造実績１３が散布図の該当する位置にプロットされる。
【００３３】
リスト表示部２６２は、抽出された検索製造実績１３に関して、製品、材料及び製造に関する条件とその条件で製造した場合に得られた品質試験値について、一覧にしたリストを出力装置に表示するためのものである。ここで、リストに一覧として表示する検索製造実績１３の項目は、製品、材料及び製造に関する条件とその条件で製造した場合に得られた品質試験値の全項目であっても良いし、検討者が選択した一部の項目であってもよい。
【００３４】
連動表示部２６３は、出力装置に出力された散布図又はリストのいずれか一方に対して、入力部により１つ又は複数の検索製造実績１３が選択されると、散布図又はリストのいずれか他方に対して、選択された１つ又は複数の検索製造実績１３を連動して表示させるためのものである。ここで、１つ又は複数の検索製造実績１３の選択は、入力部により検索製造実績１３の個々に対して行ってもよいし、入力部により散布図の縦軸または横軸またはそれら両方の範囲を指定したり、リストの項目の任意の範囲を指定したりして、その範囲に含まれる検索製造実績１３を選択するようにしてもよい。
【００３５】
緩和検索部２４は、抽出された検索製造実績１３が予め設定した最小製造実績数以下である場合、または、抽出された検索製造実績１３に対して検討者から入力部を介して緩和を要求する信号が入力部から入力された場合に、引合い仕様１２として要求される項目のいずれかを緩和して、製造実績データベース１１から満足する製造実績を類似製造実績１４として抽出するためのものである。最小製造実績数は、検討者が入力部を介して設定可能な数であり、検討者が任意の数を設定することが可能である。最小製造実績数は、具体的には、ごく少数であることが想定され、例えば、５〜１０程度である。また、最小製造実績数は、予め設定しても良いし、緩和検索部２４で緩和検索を行う都度、設定しても良い。
【００３６】
また、緩和検索部２４で、引合い仕様１２として要求される項目のいずれかを緩和する際には、散布図表示部２６１で表示されている散布図やリスト表示部２６２で表示されているリストにおいて、項目で設定されている範囲を広くしたり、項目で設定されている値を複数のパラメータに増やしたりする操作を行うことにより緩和しても良い。例えば、製品に関する条件に板厚が含まれる場合であって、引合い仕様１２で要求される板厚の範囲が５〜１０ｍｍである場合、板厚の範囲を５〜２０ｍｍとすることにより検索範囲を広範囲に緩和すること等が考えられる。
【００３７】
ここで、緩和検索部２４において、引合い仕様１２として要求される項目を緩和するには、合理的かつ必要最小限である必要があるため、顧客からの要求や設計との整合性を考慮する必要がある。次に、緩和検索部２４において、顧客からの要求や設計との整合性を考慮しつつ、規格と鋼種とを緩和する場合について説明する。
【００３８】
［緩和検索部：類似規格］
まず、製造実績データベース１１において、製品に関する条件として規格名を有する場合であって、緩和検索部２４において、規格を緩和して、引合い仕様で要求される規格を、類似規格まで範囲を広げる場合について説明する。規格は、共通する項目（例えば製法）が多いかどうかで類似規格として抽出要否を判断する。
【００３９】
規格は、用途や材質性能などから定められるものであり、製造実績では、一つの規格に対して複数の製法が存在する。そして、異なる規格であっても、同じような製法を適用している場合もある。そこで、規格を緩和する場合には、二つの規格において、規格名は異なっていても、引合い仕様１２として要求される規格と共通する項目が多い規格を類似規格として、類似規格も類似製造実績を抽出する対象とする。要求される規格と類似する類似規格の計算方法を以下で計算する。
【００４０】
まず、あるｎ個の規格の集合Ｓ（＝｛Ａ０１，Ａ０２，・・・，Ａｎ｝）に対して以下で示す式で類似度ｓｉｍを定義する。
【００４１】
【数１】
0006431433.tif 000002
【００４２】
類似度ｓｉｍは、規格に対する実績製法の数の最大値に対する、共通部分の要素数として算出される。類似度ｓｉｍは、完全一致ならば１、共通部分がなければ０になる。そして、規格集合Ｓに対して求めた類似度ｓｉｍが設定した類似度の閾値ｔ（０≦ｔ≦１）以上であるとき、集合Ｓ内の各規格Ａ０１，Ａ０２，・・・，Ａｎは類似しているものとする。
【００４３】
次に、類似規格のクラスタリングを行う。類似規格のクラスタリングについて、図３に従って説明する。
【００４４】
クラスタリングでは、まず、次式に従って、各規格の集合の和Ｆを算出する（Ｓ１１）。
【００４５】
【数２】
0006431433.tif 000003
【００４６】
次に、｜Ｆ｜＝１かどうか判断する（Ｓ１２）。Ｆの要素（規格）数は１で細分化不可能であるため、｜Ｆ｜＝１であれば、（Ｓ１２：ＹＥＳ）、Ｆを出力して（Ｓ１７）、終了する。
【００４７】
一方、｜Ｆ｜＞１であれば、Ｆの要素（規格）のペアすべてについて類似度ｓｉｍを計算する（Ｓ１３）。
【００４８】
そして、ｓｉｍ（ｉ，ｊ）が最大となる規格のペアＳｉ，Ｓｊを見出し、そのｓｉｍの値を最大値ｓｉｍＭａｘとする（Ｓ１４）。
【００４９】
次に、ｓｉｍＭａｘ≧ｔであるかどうかを判断する（Ｓ１５）。ここで、ｔは、類似度の閾値であり、０≦ｔ≦１である。クラスタリングの結果例を下記表１、２に示す。表１は、閾値ｔ＝１の場合であり、規格名が異なるだけであり、その他の項目が共通する「互換規格」が抽出できる。表２に、閾値ｔの値によるクラスタリング結果の違いを示す。閾値ｔの値が下がるにつれ、一般にクラスタが大きくなることがわかる。尚、表２における共通数とは、規格グループ内で共通する製法の数である。
【００５０】
【表１】
0006431433.tif 000004
【００５１】
【表２】
0006431433.tif 000005
【００５２】
ｓｉｍＭａｘ≧ｔであれば（Ｓ１５：ＹＥＳ）、規格のペアＳｉ，Ｓｊは類似と判断して、Ｆ←Ｆ−Ｓｉ−Ｓｊ＋（Ｓｉ∪Ｓｊ）として、Ｓｉ，Ｓｊをクラスタリングして（Ｓ１６）、Ｓ１２に戻る。これにより、集合Ｆの要素は一つ減少する。一方、ｓｉｍＭａｘ＜ｔであれば（Ｓ１５：ＮＯ）、Ｆを出力して（Ｓ１７）、終了する。
【００５３】
［緩和検索部：類似鋼種］
また、引合いが鋼板に関する引合いであって、製造実績データベース１１において、材料に関する条件として鋼種を有する場合であって、緩和検索部２４において、類似を緩和して、引合い仕様で要求される規格を、類似規格まで範囲を広げた上で、更に、鋼種を緩和して、引合い仕様で要求される鋼種を、類似鋼種まで範囲を広げる場合について説明する。鋼種は、含有成分及び含有不可成分が同じかどうかで類似鋼種として抽出要否を判断する。
【００５４】
まず、過去の製造実績において、引合い仕様で要求される規格及び類似規格で利用実績のある全ての鋼種を抽出する。そして、それらの鋼種において、成分毎に、その成分を含む頻度（成分評価値）を計算する（全ての鋼種がその成分を含んでいれば１とし、含まない鋼種が増えるにつれ値が小さくなる）。
【００５５】
次に、頻度を重みとして、引合い仕様で要求される規格及び類似規格で利用実績のある鋼種以外の鋼種との類似度を、成分含有の有無の観点で評価する。そして、類似度が所定の閾値より大きい鋼種を類似鋼種として抽出する。
【００５６】
具体的な、類似度の計算方法を図４Ａ及び図４Ｂに基づいて説明する。
図４Ａに示すように、引合い仕様で要求される規格及び類似規格で利用実績のある鋼種（図４ＡではＢ０１〜Ｂ１１の１１種類）について、成分毎に、その成分を含む鋼種の数を数える。そして、成分毎に、鋼種数で割り、成分毎の成分評価値を求める。
そして、引合い仕様で要求される規格及び類似規格で利用実績のある鋼種以外の鋼種（Ｂ１５）について、例えば、図４Ｂに示すように、成分毎に含有の有無に基づいて、類似評価値を求める。類似評価値については、成分を含有している場合は、成分評価値が類似評価値となり、成分を含有していない場合は、１−成分評価値が類似評価値となる。そして、類似度ｓｉｍ＝（各成分の類似評価値の総和）／成分の数となり、類似度ｓｉｍが閾値ｔ以上となれば、当該鋼種が類似鋼種として抽出される。
【００５７】
絞り込み検索部２５は、抽出された類似製造実績１４が設定した最大製造実績数以上である場合、または、抽出された類似製造実績１４に対して検討者から入力部を介して絞り込みを要求する信号が入力部から入力された場合に、引合い仕様１２として要求される項目のいずれかを絞り込んで、製造実績データベース１１から満足する製造実績を検索製造実績１３として抽出するためのものである。最大製造実績数は、検討者が入力部を介して設定可能な数であり、検討者が任意の数を設定することが可能である。最大製造実績数は、具体的には、検討者が引合いの製造可否を検討できる程度の数であることが想定され、例えば、１００程度である。また、最大製造実績数は、予め設定しても良いし、絞り込み検索部２５で絞り込みを行う都度、設定しても良い。
【００５８】
そして、絞り込み検索部２５で、散布図表示部２６１で表示されている散布図やリスト表示部２６２で表示されているリストにおいて、引合い仕様１２として要求される項目で設定されている範囲を狭くしたり、引合い仕様１２として要求される項目以外の項目で設定されている値を特定のパラメータに限定したりする操作を行うことにより絞り込んで良い。
【００５９】
引合い仕様１２として要求される項目で設定されている範囲を狭くする場合は、例えば、ある縦軸、横軸の組合せによる散布図上で、縦軸の範囲と横軸の範囲とを指定する（例えば、マウスポインタ操作で矩形状の描画領域を選択する）ことにより、散布図の中に関心領域を設定し、関心領域内の類似製造実績に絞り込んで表示しても良い。そして、散布図上での関心領域内の類似製造実績について、リストに表示するようにしても良い。
【００６０】
引合い仕様１２として要求される項目以外の項目で設定されている値を特定のパラメータに限定する場合は、例えば、鋼板に関する引合いであって、板厚と強度を軸として類似製造実績が表示されている散布図に対し、鋼種を特定のものに絞る条件を絞り込み条件として指定することにより、限定表示する。
【００６１】
また、絞り込み検索部２５で、引合い仕様１２として要求される項目のいずれかを絞り込む際には、散布図表示部２６１で表示されている散布図やリスト表示部２６２で表示されているリストにおいて、１つ又は複数の類似製造実績が選択されると、選択された類似製造実績と共通する項目を有する類似製造実績を、散布図或いはリストのいずれか一方又は両方に協調表示することにより絞り込んで良い。
【００６２】
例えば、散布図またはリスト上の一点（一つの類似製造実績）を選択し、その類似製造実績と同一の材料条件、製造条件である類似製造実績の点を、同じ散布図またはリスト上で協調表示しても良い。これにより、同一材料条件・製造条件での品質試験値のばらつきを確認し、引合い仕様に対するリスクを評価することができる。
【００６３】
尚、緩和検索部２４及び絞り込み検索部２５は、繰り返し実行されるものであって良い。具体的には、図５に示すように、本実施形態に係る引合い検討支援システム１の出力装置における表示画面として、検索条件入力画面、散布図表示画面、リスト表示画面の三種類がある。そして、検索条件入力画面において、項目名と入力欄があり、緩和検索部２４及び絞込み検索部２５で入力される各項目の検索条件が設定される。検索条件としては、引合い仕様として要求される条件を入力するための「引合い条件」と、設計上絞り込む条件を入力するための「層別条件」がある。「引合い条件」は、条件を緩和する入力である場合もあるし、条件を絞り込む入力である場合もある。入力された検索条件により類似製造実績又は検索製造実績が抽出され、検索結果として、散布図表示画面、リスト表示画面に表示される。
【００６４】
ここで、類似製造実績又は検索製造実績を表示する散布図の縦軸、横軸の範囲は、設定により変更可能である。これにより、散布図表示画面上で、関心領域を設定し、特定の類似製造実績又は検索製造実績を選択し、製造ばらつき（分布）を表示させたり、層別条件を追加して表示点を絞りこんだりすることができ、視覚的に検討者が視点を変えて製造実績を探すことができる。
【００６５】
次に、本実施形態に係る引合い検討支援方法の処理の手順について、図２に基づいて、説明する。図２は、本実施形態に係る引合い検討支援方法の処理の手順について説明したフローチャートである。
尚、以下で説明する本実施形態に係る引合い検討支援方法の処理は、計算機においても同様に、引合い検討支援プログラムとしてＣＰＵにより読み出して実行することができる。また、この引合い検討支援プログラムは、リムーバブルな記憶媒体に記録しておくことにより、様々な計算機の記憶装置にインストールすることが可能である。
【００６６】
まず、製品、材料及び製造に関する条件と、その条件で製造した場合に品質試験で得られた品質試験値とを項目とした、過去の製造実績に関する製造実績情報を、製造実績データベースとして、外部から記憶部に登録する（Ｓ１：製造実績データベース登録ステップ）。尚、本ステップは、上述した引合い検討支援システム１の製造実績データベース１１及び製造実績データベース登録部２１に相当し、詳細な説明を省略する。
【００６７】
また、入力部により、製造実績情報の項目の一部又は全部に対して要求される値が入力された引合い仕様を、引合い仕様として、外部から記憶部に登録する（Ｓ２：炉情報記憶ステップ）。尚、本ステップは、上述した引合い検討支援システム１の引合い仕様１２及び引合い仕様入力部２２に相当し、詳細な説明を省略する。
【００６８】
次に、製造実績データベースに基づいて、引合い仕様を満足する製造実績を検索製造実績として抽出して記憶部に登録する（Ｓ３：製造実績抽出ステップ）。ここで抽出された検索製造実績は、出力部により出力装置に表示される。尚、本ステップは、上述した引合い検討支援システム１の検索製造実績１３及び製造実績抽出部２３に相当し、詳細な説明を省略する。
【００６９】
そして、緩和検索を行うかどうか、即ち、抽出した検索製造実績が予め設定した最小製造実績数以下であるかどうか、または、抽出された検索製造実績に対して検討者から入力部を介して緩和を要求する信号が入力部から入力されたか、判断する（Ｓ４：緩和検索ステップ）。抽出された検索製造実績が最小製造実績数以下である場合（Ｓ４：ＹＥＳ）、引合い仕様として要求される項目のいずれかを緩和して（Ｓ５：緩和検索ステップ）、製造実績データベースから満足する製造実績を類似製造実績として抽出する（Ｓ６：緩和検索ステップ）。ここで抽出された類似製造実績は、出力部により出力装置に表示される（Ｓ６：検索結果表示ステップ）。一方、抽出された検索製造実績が最小製造実績数以下でない場合（Ｓ４：ＮＯ）、ステップＳ７に進む。尚、本ステップは、上述した引合い検討支援システム１の類似製造実績１４、緩和検索部２４及び検索結果表示部２６に相当し、詳細な説明を省略する。
【００７０】
そして、絞り込み検索を行うかどうか、即ち、抽出した類似製造実績が予め設定した最大製造実績数以上であるかどうか、または、抽出された類似製造実績に対して検討者から入力部を介して絞り込みを要求する信号が入力部から入力されたか、判断する（Ｓ７：絞り込み検索ステップ）。抽出された類似製造実績が最大製造実績数以上である場合（Ｓ７：ＹＥＳ）、引合い仕様として要求される項目のいずれかを絞り込んで（Ｓ８：絞り込み検索ステップ）、製造実績データベースから満足する製造実績を検索製造実績として抽出する（Ｓ９：絞り込み検索ステップ）。ここで抽出された検索製造実績は、出力部により出力装置に表示される（Ｓ９：検索結果表示ステップ）。尚、本ステップは、上述した引合い検討支援システム１の検索製造実績１３、絞り込み検索部２５及び検索結果出力部２６に相当し、詳細な説明を省略する。
【００７１】
このように、本実施形態の引合い検討支援システム及び引合い検討支援方法、並びに引合い検討支援プログラムによれば、引合いの製造可否を検討する際に、過去の製造実績から大きく乖離した引合いであったとしても、設定した最小製造実績数や最大製造実績数を基準に、または、検索者からの要求に応じて、引合い仕様として要求される項目のいずれかを緩和したり、絞り込んだりすることにより、製造実績データベースから、参考とする過去の製造実績をより広範囲に検索することができる。
【００７２】
以上、本発明の好適な実施の形態について説明したが、本発明は、前記実施の形態に限定されるものではなく、特許請求の範囲に記載した限りにおいてさまざまな変更が可能なものである。
【００７３】
例えば、上述の本実施形態に係る緩和検索部２４では、引合いが鋼板に関する引合いであって、製造実績データベース１１において、材料に関する条件として鋼種を有する場合であって、引合い仕様で要求される規格を、類似規格まで範囲を広げた上で、更に、鋼種を緩和して、引合い仕様で要求される鋼種を、類似鋼種まで範囲を広げる場合について説明しているがそれに限らない。例えば、緩和計算部２４において、引合いが鋼板に関する引合いであって、製造実績データベース１１において、材料に関する条件として鋼種を有する場合であって、引合い仕様で要求される規格については類似規格にまで緩和することなく、引合い仕様で要求される鋼種を、検討者が指定した１つまたは複数の鋼種に類似する類似鋼種まで範囲を広げても良い。
【実施例】
【００７４】
次に、本実施形態の引合い検討支援システム及び引合い検討支援方法、並びに引合い検討支援プログラムに係る実施例について、以下で説明する。
【００７５】
本実施例について、図２に示す本実施形態に係る引合い検討支援方法の処理の手順に沿って説明する。本実施例では、鋼板に関する引合いを想定する。
【００７６】
まず、製品、材料及び製造に関する条件と、その条件で製造した場合に品質試験で得られた品質試験値とを項目とした、過去の製造実績に関する製造実績情報を、製造実績データベースとして、外部から記憶部に登録する（Ｓ１）。本実施例では、製品条件は、規格と板厚等である。材料条件は、鋼種、品質試験についての試験条件、試験片等である。製造条件は、熱処理条件、圧延条件等である。
【００７７】
また、入力部により、製造実績情報の項目の一部又は全部に対して要求される値が入力された引合い仕様を、引合い仕様として、外部から記憶部に登録する（Ｓ２）。本実施例では、引合い仕様として、製品条件の内の規格と板厚、材料条件の内の鋼種、品質試験についての試験条件、試験片、製造条件の内の、熱処理条件、圧延条件に対して要求される値が入力される。
【００７８】
次に、製造実績データベースに基づいて、引合い仕様を満足する製造実績を検索製造実績として抽出して記憶部に登録する（Ｓ３）。そして、抽出した検索製造実績が予め設定した最小製造実績数以下であるかどうか判断する（Ｓ４）。本実施例では、検索製造実績が最小製造実績数以下である場合（Ｓ４：ＹＥＳ）、引合い仕様として要求される項目のいずれかを緩和して、（Ｓ５）、製造実績データベースから満足する製造実績を類似製造実績として抽出して、出力装置に表示する（Ｓ６）。
【００７９】
本実施例では、次の表３に示す項目について、表３に示すような緩和処理を行う。
【００８０】
【表３】
0006431433.tif 000006
【００８１】
表３に示す「ワイルドカード指定」とは、規格名において、例えば、「Ａ０＊」のように、Ａ０で始まる限り、後続文字は何でもよいとする緩和方法である。「ワイルドカード指定」により緩和した場合、最低限含んでおくべきコード文字列のみを指定することで、より広い範囲の実績抽出が可能になる。
【００８２】
表３に示す「範囲拡大」とは、範囲指定において、上下限を拡張する緩和方法である。拡張は、検討者が入力部により指定した指定範囲で拡張する方法と、抽出結果により自動的に予め指定した指定範囲で拡張する方法の二つの方法がある。抽出結果により自動的に予め指定した指定範囲で拡張する方法では、指定範囲内に該当する検索製造実績の数が予め決められた抽出製造実績数より少ない場合、検索製造実績の数がその抽出製造実績数を超えるまで、指定範囲の上下限を広げる。
【００８３】
尚、これらの拡張においては、どの項目から範囲拡大するかにより結果が異なる。緩和で拡張する項目の順番をきめておき、一定比率で順番に広げていくというサイクルを、検索製造実績の数が、予め決められた抽出製造実績数以上になるか、あるいは、予め決められた緩和率（緩和で拡張する項目に関して、元となる範囲から拡張する比率）に至るまで繰り返す。
【００８４】
例えば、緩和で拡張する項目の順番を、試験結果→試験温度→板厚→Ｐ値→複合元素とし、抽出製造実績数を１００以上とした場合、抽出製造実績数が１００以下であるか、緩和率α（諸期値α=０．２）が０．５以下である限り、範囲拡大の緩和検索の処理を繰り返す。即ち、以下の手順により、範囲拡大の緩和検索の処理を行う。
・試験結果：［下限ｘ（１−α）、上限（１＋α）］として検索、抽出製造実績数１００を超えれば終了
・試験温度：［下限ｘ（１−α）、上限（１＋α）］として検索、抽出製造実績数１００を超えれば終了
・板厚：［下限ｘ（１−α）、上限（１＋α）］として検索、抽出製造実績数１００を超えれば終了
・Ｐ値：［下限ｘ（１−α）、上限（１＋α）］として検索、抽出製造実績数１００を超えれば終了
・複合元素：［下限ｘ（１−α）、上限（１＋α）］として検索、抽出製造実績数１００を超えれば終了
・α←α＋０．１
抽出製造実績数１００を超えるまで、α=０．２，０．３，０．４，０．５と４回緩和サイクルを繰り返す。
尚、緩和しない項目を指定することもできるものとしている。そして、緩和検索により抽出された類似製造実績の結果は、リスト画面（例えば、図８に示すリスト表示画面）に表示される。
【００８５】
また、表３に示す「指定有無」とは、有効な指定が条件設定されているか否かで抽出可否をきめる方法である。
【００８６】
また、表３に示す「成分範囲指定」とは、上述した引合い検討支援システムの緩和検索部における「類似鋼種」を含める緩和のことである。即ち、「類似鋼種」を含める緩和においては、成分範囲指定の緩和を行うものであり、含有成分および含有不可成分が同じかどうかで抽出要否を判断する。含有成分による判断では、成分の有効な指定量（上下限）が設定されているかどうかで判断する。含有不可成分判断（たとえばＣｒを含むかどうか）では、その成分は含まないほうが好ましいため、微小な上限が設定される鋼種もあるが、このような成分は「含有不可」として、含有不可指定のある鋼種を抽出する。成分範囲指定を、含有成分判定、含有不可成分判定のいずれに用いるかは、成分およびその上下限の指定パターンで区別するものとし、そのルール（例えば、「成分ｘについて、上限α、下限０ならば成分含有不可と解釈する。それ以外は成分含有すべきと解釈する。」）が予め指定されているとする。
【００８７】
また、表３に示す「類似規格」は、上述した引合い検討支援システムの緩和検索部における「類似規格」を含める緩和のことである。即ち、引合い仕様で要求される規格に対して、類似規格集合を定義したデータベースを用意し、その類似規格の製造実績を抽出対象に加えることにより緩和する方法である。たとえば、引合い仕様で要求される「規格Ａ０１」が指定された場合、通常、規格Ａ０１として製造された製造実績が抽出対象となるが、データベースにＡ０１の類似規格として｛Ａ０２，Ａ０３｝が指定されていた場合、類似規格Ａ０２，Ａ０３として製造された製造実績も抽出対象に加える緩和が行われる。
【００８８】
ここで、「類似規格」まで含めて緩和して類似製造実績を抽出する具体例について説明する。図６は、引合い仕様として要求される規格を緩和する際の入力画面のイメージである。図６に示すように、「規格」の欄においては、引合い仕様として要求される規格を入力する。尚、「規格」が入力されない場合は、全規格の項目が表示される。
【００８９】
図６に示す「閾値」は、要求される規格と類似規格と類似度の閾値ｔであり、５種類から選択でき、「データ取得」ボタンを押下して閾値の設定が完了するようになっている。
【００９０】
図６においては、「シャルピー温度」の上限値及び下限値、「シャルピーＡＶエネルギー」の値をそれぞれ入力できるようになっているが、ここで、値を入力することにより、この値を満たす類似規格での製造実績を出力するように制限することができる。尚、これらの値は入力しなくても良く、入力がない場合は、類似規格での製造実績の絞込み制限がかからなくなる。
【００９１】
そして、図６に示す「検索」ボタンを押下することにより、入力された規格とその類似規格、および入力された規格の名称を含む規格とその類似規格の各項目の値が表示される。例えば、「規格」をＡ０２とし、「シャルピー温度」を‐２０〜２０とし、「シャルピーＡＶエネルギー」を２５０以上とし、「閾値」を０．６５と入力して検索を行ったところ、図７に示すような類似製造実績が抽出された。
【００９２】
そして、抽出した類似製造実績が予め設定した最大製造実績数以上であるかどうか判断する（Ｓ７）。本実施例では、抽出された類似製造実績が最大製造実績数以上である場合（Ｓ７）、引合い仕様として要求される項目のいずれかを絞り込んで（Ｓ８）、製造実績データベースから満足する製造実績を検索製造実績として抽出して、出力装置に表示する（Ｓ９）。
【００９３】
本実施例では、図８に示すような散布図及びリストで類似製造実績を表示して、入力部に絞込み条件を指定するにより、検索製造実績を抽出する。図８の左上の画面に示すように、類似製造実績が描画される散布図から構成される「描画領域」に対して、「絞り込み条件入力欄」により散布図の縦軸と横軸とで指定された関心領域（図８中四角枠で示す領域）で絞り込むための絞り込み条件が指定される。具体的には、散布図の縦軸（例えば、熱処理をスカラー指標化したＰ値）、横軸（例えば、強度）が指定される。そして、関心領域内に含まれる検索製造実績が図８の左下のリストで表示される。更に、関心領域内に含まれる検索製造実績において、引合い仕様として要求される鋼種を考慮して鋼種系列をＢ０＊に限定することにより、図８の右中の画面に示すように、関心領域内の対象となる検索製造実績が散布図上に出力される。それと同時に、散布図上に描画されている関心領域内の対象となる検索製造実績の各項目を、図８の右下の画面に示すように、「事例一覧」としてリスト表示する。
【００９４】
このように、本実施例では、引合いの製造可否を検討する際に、過去の製造実績から大きく乖離した引合いであり、引合い仕様で要求される項目と一致する製造実績が少なかったとしても、引合い仕様として要求される項目のいずれかを緩和したり、絞り込んだりすることにより、製造実績データベースから、参考とする過去の製造実績をより広範囲に検索することができる。
【符号の説明】
【００９５】
１１  製造実績データベース
１２  引合い仕様
１３  検索製造実績
１４  類似製造実績
２１  製造実績データベース登録部
２２  引合い仕様入力部
２３  製造実績抽出部
２４  緩和検索部
２５  絞り込み検索部
２６  検索結果表示部
２６１  散布図表示部
２６２  リスト表示部
２６３  連動表示部
Ｓ１  製造実績データベース登録ステップ
Ｓ２  引合い仕様入力ステップ
Ｓ３  製造実績抽出ステップ
Ｓ４、Ｓ５、Ｓ６  緩和検索ステップ
Ｓ７、Ｓ８、Ｓ９  絞り込み検索ステップ
Ｓ６、Ｓ９  検索結果出力ステップ
【図１】
0006431433.tif 000007
【図２】
0006431433.tif 000008
【図３】
0006431433.tif 000009
【図４Ａ】
0006431433.tif 000010
【図４Ｂ】
0006431433.tif 000011
【図５】
0006431433.tif 000012
【図６】
0006431433.tif 000013
【図７】
0006431433.tif 000014
【図８】
0006431433.tif 000015